(57)【要約】【課題】  護岸を早期に安定化させるべく護岸の内側を埋め立てるようにした埋立処理方法を提供する。【解決手段】  本埋立処理方法は、水底地盤上に構築した護岸１０の内側に法面を有する腹付土層２を構築し、該腹付土層２の法面上に遮水シート３を敷設し、該遮水シート３上にバラスト層４を載置し、該バラスト層４上を含めて前記護岸１０の内側に埋立材料７を投入していく。そして、前記バラスト層４を連れ込み沈下させる間際の位置に前記埋立材料７を投入していくことにより、前記護岸１０に沿い、かつ、間隔を有して一次埋立帯８を形成し、しかる後、護岸１０と一次埋立帯８とにより囲まれた埋立域９に埋立材料７を投入していく。【選択図】  図１
2006249794.tif 000002
【特許請求の範囲】
【請求項１】
水底地盤上に構築した護岸の内側に法面を有する腹付土層を構築し、該腹付土層の法面上に遮水シートを敷設し、該遮水シート上にバラスト層を載置し、該バラスト層上を含めて前記護岸の内側に埋立材料を投入していく埋立処理方法であって、
前記バラスト層を連れ込み沈下させる間際の位置に前記埋立材料を投入していくことにより、前記護岸に沿い、かつ、間隔を有して一次埋立帯を形成し、しかる後、護岸と一次埋立帯とにより囲まれた埋立域に埋立材料を投入していくことを特徴とする埋立処理方法。
【請求項２】
前記埋立材料は、石炭灰であることを特徴とする請求項１に記載の埋立処理方法。
【請求項３】
前記バラスト層は、フライアッシュモルタルであることを特徴とする請求項１または２に記載の埋立処理方法。
【発明の詳細な説明】
【技術分野】
【０００１】
本発明は、海や湖など（以下、「海」という。）の水底地盤上に構築した護岸の内側に法面を有する腹付土層を構築し、この腹付土層上に遮水シートを敷設し、さらに、この遮水シート上にバラスト層を載置した後に、廃棄物などの埋立材料を埋め立てる埋立処理方法に関する。
【背景技術】
【０００２】
埋立地には、土砂などが海に投入されて造成された工業用地や空港のほか、廃棄物が投入される最終処分場もある。廃棄物を埋立材料として使用する場合は、廃棄物中の有害物質が外海に流出させないことをも目的とした護岸が構築される。このような護岸の内側を埋め立て、埋立地を造成する従来例について図２を参照しながら説明する。
【０００３】
埋立地を造成するには、まず、埋立域の外周に護岸１０を構築する。護岸１０は、水底地盤１を改良した後、捨石を投入することにより、基礎マウンド１１を構築し、この基礎マウンド１１上に護岸本体１２を設置することによって構築される。基礎マウンド１１は、護岸本体１２よりも広い幅で、両側部が傾斜面とされている。護岸本体１２が図示したようなケーソンであれば、護岸本体１２の外側に波消ブロック１３を積む場合がある。
【０００４】
そして、護岸本体１２の内側には、前記基礎マウンド１１の斜面を覆う腹付土層２が構築される。腹付土層２は、前記基礎マウンド１１の傾斜面よりも緩やかな法面が形成されている。このような腹付土層２上には、海水Ｗが護岸１０の内外を流通しないようにするための遮水シート３が敷設される。
【０００５】
遮水シート３上には、重しとなるバラスト層４が載置される。バラスト層４は、底側が遮水シート３と密着する傾斜面、上側が階段状の勾配を有する形状に成形されている。バラスト層４の底面と遮水シート３とが密着することによって、遮水シート３は、破損することなく、海水Ｗが護岸１０の内外を流通しないようにされている。
【０００６】
そして、バラスト層４は、例えば、フライアッシュモルタルによって成形される。フライアッシュは、石炭火力発電所などで石炭を燃焼させたときに排出される石炭灰である。このフライアッシュにセメントと水とを加えて練り混ぜたフライアッシュモルタルは、水を通さない性質を有し、耐久性に優れていることから、接水工事において有効に利用され、また、比重が小さく、軽量であるという特徴を有している。
【０００７】
そして、護岸本体１２の内側には、海水Ｗが溜められたまま石炭灰のような廃棄物が埋立材料７として投入される。バラスト層４が腹付土層２の法面に敷設された遮水シート３上に載置されて滑りやすくなっており、またフライアッシュモルタルのように軽量な材質で成形されていることから、埋立材料７がバラスト層４上に投入されると、バラスト層４は埋立材料７によって連れ込み沈下してしまう。このため、埋立材料７は、バラスト層４が連れ込み沈下しないようにバラスト層４から離隔して投入される。
【０００８】
そして、埋立材料７は、頂部が水面より突出し、所定の高さまで堆積されると、図２の仮想線に示すように、投入位置が護岸１０の側へ次第に近づけられる。バラスト層４上に埋立材料７が投入されても、バラスト層４の底部は既に投入された埋立材料７によって支えられた状態となっているため、バラスト層４は連れ込み沈下しない。そして、護岸１０の内側全部が埋立材料７によって埋め立てられると、水抜きが実施され、埋立地が完成する。
【０００９】
なお、遮水シートを用いた管理型廃棄物埋立護岸の遮水処理方法が特許文献１に開示されている。
【００１０】
【特許文献１】特開２００３−７１４０１号公報
【発明の開示】
【発明が解決しようとする課題】
【００１１】
上述の如く、埋立材料７は、バラスト層４が連れ込み沈下しないようにするため、バラスト層４から離隔して投入される。したがって、バラスト層４上に埋立材料７が堆積されない状態が長期間、継続することがある。
【００１２】
しかし、バラスト層４は、腹付土層２の法面上に敷設された遮水シート３上に載置され、特にフライアッシュモルタル製にあっては軽量であり、滑りやすくなっていることから、バラスト層４上に埋立材料７が堆積されないと、護岸１０は不安定な状態となっている。しかも、埋立材料７が石炭火力発電所から排出される石炭灰である場合には、石炭火力発電所が稼動していないと、埋立材料７が排出されず、その間、護岸１０は不安定な状態となり、最悪の場合は損壊する。
【００１３】
そこで、本発明は、護岸を早期に安定化させるべく護岸の内側を埋め立てるようにした埋立処理方法を提供することを課題とする。
【課題を解決するための手段】
【００１４】
本発明に係る埋立処理方法は、水底地盤上に構築した護岸の内側に法面を有する腹付土層を構築し、該腹付土層の法面上に遮水シートを敷設し、該遮水シート上にバラスト層を載置し、該バラスト層上を含めて前記護岸の内側に埋立材料を投入していく埋立処理方法であって、前記バラスト層を連れ込み沈下させる間際の位置に前記埋立材料を投入していくことにより、前記護岸に沿い、かつ、間隔を有して一次埋立帯を形成し、しかる後、護岸と一次埋立帯とにより囲まれた埋立域に埋立材料を投入していくことを特徴としている。
【００１５】
この埋立処理方法によれば、バラスト層を連れ込み沈下させる間際の位置、すなわち、連れ込み沈下させる位置とさせない位置とのボーダーライン上で連れ込み沈下させない側の位置に埋立材料を投入していくことにより、護岸に沿い、かつ、間隔を有する一次埋立帯を形成する。この後、埋立材料をバラスト層上に堆積する。一次埋立材帯がバラスト層の底部を支える状態となり、バラスト層は連れ込み沈下することなく埋立材料に押さえつけられる。このようにして、護岸と一次埋立帯とにより囲まれた埋立域に埋立材料を投入していくことにより、護岸を早期に安定化させることができる。
【００１６】
また、前記埋立処理方法において、前記埋立材料は、石炭灰であってもよい。この埋立処理方法によれば、近年、見直されている石炭火力発電所から排出される石炭灰を有効に処分することができる。
【００１７】
また、前記埋立処理方法において、前記バラスト層は、フライアッシュモルタルであってもよい。この埋立処理方法によれば、フライアッシュモルタルは、石炭火力発電所から排出される石炭灰を有効に処分することができるだけでなく、水を通さず、また、耐久性に優れているという特徴を有していることから、遮水シートの重しとして、好適に使用することができる。
【発明の効果】
【００１８】
本発明によれば、バラスト層を連れ込み沈下させる間際の位置に埋立材料を投入していくことにより、一次埋立帯を形成し、しかる後、護岸と一次埋立帯とにより囲まれた埋立域に埋立材料を投入していくことにより、埋立材料がバラスト層を支える状態で、バラスト層上に埋立材料を堆積することができる。したがって、埋立材料がバラスト層および遮水シートを早期に押さえる状態となって、護岸を早期に安定させることができる。この結果、護岸の内側の埋立が完全に完了するまで、長期間要しても、護岸が損壊することなく、修復などの作業をしないようにすることができる。
【発明を実施するための最良の形態】
【００１９】
本発明に係る埋立処理方法の一実施形態について、図１を参照しながら説明する。なお、従来と同一部分は、同一符号付して説明する。
【００２０】
本埋立処理方法は、図１に示すように、埋立地となる領域の外周に構築された護岸１０の内側に腹付土層２を構築し、この腹付土層２上に遮水シート３を敷設し、この遮水シート３上にバラスト層４を載置し、そして、このバラスト層４を含めて埋立材料７を投入する方法である。護岸１０は、地盤改良された水底地盤１上に構築された基礎マウンド１１と、この基礎マウンド１１上に設置されたケーソンなどの護岸本体１２とから構成され、護岸本体１２の外側に波消ブロック１３が積まれる場合がある。
【００２１】
そして、本実施形態の埋立処理方法は、埋立材料７を最初に投入する位置（図１の一点鎖線で図示）を、バラスト層４を連れ込み沈下させる間際の位置、すなわち、連れ込み沈下させる位置とさせない位置とのボーダーライン上で連れ込み沈下させない側の位置とすることを特徴としている。このような位置に埋立材料７が投入されると、埋立材料７は円錐状に堆積し、バラスト層４の底部を支える状態となる。
【００２２】
したがって、埋立材料７が連続して投入され、二点鎖線で図示するように、バラスト層４上に堆積しても、バラスト層４は連れ込み沈下しない。バラスト層４の上側は階段状に形成されていることから、埋立材料７はバラスト層４上を滑ることなく、鉛直下向きの荷重をバラスト層４に加え、バラスト層４が遮水シート３を押さえつける。
【００２３】
ただし、堆積された埋立材料７の安息角αが大きくなると、バラスト層４には大きな荷重が加えられる。安息角は、採用する埋立材料７、すなわち、石炭灰の粒径などなどによって異なる。一方、バラスト層４と遮水シート３との摩擦係数が大きいと連れ込み沈下しにくく、小さいと連れ込み沈下しやすい。したがって、実際には、安息角αと摩擦係数との関係から埋立材料７を投入する位置が設定される。よって、埋立材料７を最初に投入する位置は、バラスト層４の底部上とすることができる場合がある。
【００２４】
いずれにしても、埋立材料７がバラスト層４を連れ込み沈下させないで、水面から突出するまで堆積すると、埋立材料７を投入する位置を護岸１０と平行に移動する。埋立材料７を投入する位置を、護岸１０と平行に次々と移動することにより、護岸１０に沿い、かつ、間隔を有している一次埋立帯８を形成する。
【００２５】
そして、図１の三点鎖線で示すように、護岸１０と一次埋立帯８とにより囲まれた埋立域９に埋立材料７を投入していく。この埋立材料７は、バラスト層４上に次々と投入されるが、底部が埋立材料７に支えられているため、連れ込み沈下することがない。
【００２６】
このようにして、埋立材料７が水面から突出する埋立域は、護岸１０の方へ近づく。埋立材料７がバラスト層４を連れ込み沈下させる間際の位置から投入し始められていることから、バラスト層４の全体が埋立材料７によって早期に堆積されて押さえつけられ、護岸１０が早期に安定する。
【００２７】
このように護岸１０が安定した状態とされた後に、一次埋立帯８の内側が順次埋め立てられる。そして、埋立材料７によって護岸１０の内側全域が埋め立てられると、埋立材料７の水抜きが行われ、埋立工事が終了する。
【００２８】
なお、本発明は、前記の実施形態に限定することなく、特許請求の範囲に記載した技術的事項の範囲内において種々変更することができる。例えば、埋立材料７は、石炭灰のような廃棄物に限定することなく、土砂などでもよいし、バラスト層４は、フライアッシュモルタル以外でも同様に実施することができる。さらに、前記の説明では便宜上、海水Ｗという用語を使用したが、本発明は湖や河川でも実施することができることはいうまでもない。
【図面の簡単な説明】
【００２９】
【図１】本発明に係る埋立処理方法の一実施形態を示す概略図である。
【図２】従来の埋立処理方法を示す概略図である。
【符号の説明】
【００３０】
１…水底地盤
２…腹付土層
３…遮水シート
４…バラスト層
７…埋立材料
８…一次埋立帯
９…埋立域
１０…護岸
【図１】
2006249794.tif 000003
【図２】
2006249794.tif 000004